(57)【要約】【課題】プラント等に設置される多種類のセンサからセンサ情報を収集する情報収集装置及び情報収集方法。【解決手段】測定情報を格納する記憶部と、センサ情報を受信すると、センサの識別情報と対応したデータ形式の異なる複数のセンサ情報を処理するための定義情報のうち、受信したセンサの識別情報に対応したセンサデータ形式情報及び記憶部における格納する場所を示す格納先情報を取得する定義情報取得部と、センサデータ形式情報によりセンサ情報から測定情報を取得し、この測定情報を格納先情報により記憶部の指定された格納先に格納する制御部と、を備えることを特徴とする情報収集装置。【選択図】  図３
2019149081.tif 000002
【特許請求の範囲】
【請求項１】
複数のセンサから前記センサの識別情報及び測定情報を含むセンサ情報を収集する情報収集装置において、
前記測定情報を格納する記憶部と、
前記センサ情報を受信すると、前記センサの識別情報と対応したデータ形式の異なる複数のセンサ情報を処理するための定義情報のうち、受信した前記センサの識別情報に対応したセンサデータ形式情報及び前記記憶部における格納する場所を示す格納先情報を取得する定義情報取得部と、
前記センサデータ形式情報により前記センサ情報から前記測定情報を取得し、この測定情報を前記格納先情報により前記記憶部の指定された格納先に格納する制御部と、
を備えることを特徴とする情報収集装置。
【請求項２】
前記定義情報は、前記格納先情報、前記センサデータ形式情報、１の処理により前記測定情報を処理する旨の処理情報、２以上の処理により前記測定情報を段階的に処理する旨の処理情報のうち少なくともいずれかと、前記センサの識別情報とが対応付けられていることを特徴とする請求項１に記載の情報収集装置。
【請求項３】
前記１の処理が前記測定情報を表示する旨の処理として定義されている場合、前記定義情報に基づき表示する測定情報を前記記憶部から抽出する抽出部を備えることを特徴とする請求項１または請求項２に記載の情報収集装置。
【請求項４】
前記抽出部が抽出した前記測定情報を表示するための図を生成し、表示部にこの図を表示させる表示制御部を備え、
前記表示制御部は、前記測定情報のグラフを生成し、前記表示部に前記グラフを表示することを特徴とする請求項３に記載の情報収集装置。
【請求項５】
前記情報収集装置は、クラウドコンピューティングによって構成されることを特徴とする請求項１から請求項４の少なくともいずれかに記載の情報収集装置。
【請求項６】
複数のセンサから前記センサの識別情報及び測定情報を含むセンサ情報を収集する情報収集方法において、
前記センサ情報を受信すると、前記センサの識別情報と対応したデータ形式の異なる複数のセンサ情報を処理するための定義情報のうち、受信した前記センサの識別情報に対応したセンサデータ形式情報及び前記記憶部における格納する場所を示す格納先情報を取得するステップと、
前記センサデータ形式情報により前記センサ情報から前記測定情報を取得し、この測定情報を前記格納先情報により前記記憶部の指定された格納先に格納するステップと、
を備えることを特徴とする情報収集方法。
【請求項７】
複数のセンサから前記センサの識別情報及び測定情報を含むセンサ情報を受信する処理と、
前記センサの識別情報と対応したデータ形式の異なる複数のセンサ情報を処理するための定義情報のうち、受信した前記センサの識別情報に対応したセンサデータ形式情報及び前記記憶部における格納する場所を示す格納先情報を取得する処理と、
前記センサデータ形式情報により前記センサ情報から前記測定情報を取得し、この測定情報を前記格納先情報により前記記憶部の指定された格納先に格納する処理と、
をコンピュータで実行するための情報収集プログラム。
【請求項８】
複数のセンサから前記センサの識別情報及び測定情報を含むセンサ情報を受信する処理と、
前記センサの識別情報と対応したデータ形式の異なる複数のセンサ情報を処理するための定義情報のうち、受信した前記センサの識別情報に対応したセンサデータ形式情報及び前記記憶部における格納する場所を示す格納先情報を取得する処理と、
前記センサデータ形式情報により前記センサ情報から前記測定情報を取得し、この測定情報を前記格納先情報により前記記憶部の指定された格納先に格納する処理と、
をコンピュータで実行するための情報収集プログラムが記憶された記憶媒体。
【発明の詳細な説明】
【技術分野】
【０００１】
本発明は、プラント等に設置される多種類のセンサから測定データ（測定情報）を含むセンサデータ（センサ情報）を収集するシステムに関し、特に、多種類のセンサが測定しデータ形式の異なる測定データ（例えば、温度、加速度、速度など）を収集し、必要に応じて測定データを表示する情報収集装置を提供する。
【背景技術】
【０００２】
従来から、石油精製、石油化学プロセスや、上下水道の水処理プロセス等を行うプラントには、例えば圧力、温度、流量等を測定するフィールド機器、ポンプ、タンクなど数多くの設備が無数に存在する。これら設備には、設備の健全性の診断、設備故障の予兆診断のため、多くの無線センサが設置されることがある。この無線センサは、例えば、設備の温度、加速度、速度等を測定する。また、無線センサは、ゲートウェイを介して測定データをサーバに送信する。サーバは、受信した測定データを格納するだけでなく、必要に応じてグラフ形式で時系列データとして表示し、測定データを解析する場合もある。
【０００３】
また、設備に設置される無線センサは、測定対象により複数のベンダの無線センサを用いる場合がある。これら複数のベンダの無線センサは、例えば、温度、加速度、速度等の測定データを、それぞれの無線センサが送信できるデータ形式に応じて、（必要に応じてゲートウェイのような無線中継装置なども介して）サーバへ送信する。言い換えれば、サーバが受信する測定データは、無線センサの種類によってデータ形式が異なる場合が多くある。これにより、サーバは、無線センサから受信する測定データのデータ形式に応じて、異なる受信処理を行う必要がある。
【０００４】
例えば、特許文献１には、住宅用センサからの情報を収集する技術であって、センサからの生データを、センサ種別（例えば、センサの設置場所、センサの種類）が定義されたテーブルに基づき、取得したデータの種類を定義し収集する方法が開示されている。
また、例えば、特許文献２には、車載システムであって、車内に設置される接続ノードの識別情報及び位置情報が対応付けられたテーブルに基づき、接続ノードと接続されたカメラまたはセンサの情報を、どの位置で撮影または測定されたものか識別し、表示する方法が開示されている。
【先行技術文献】
【特許文献】
【０００５】
【特許文献１】特許第４９４３０７９号公報
【特許文献２】特許第４５８７５８１号公報
【発明の開示】
【発明が解決しようとする課題】
【０００６】
上記のように、プラント設備に設置した無線センサが、１つのプラントでベンダの異なる無線センサが複数設置される場合、無線センサの種類に応じて、サーバは個々の無線センサ用のデータ処理プログラム（以下、データ処理機能という）を有する必要があった。そのため、設置する無線センサが増えるごとに、サーバへ増えた無線センサ用のデータ処理機能を追加しなければならず、エンジニアにとって非常に煩雑な作業となる。
【０００７】
また、無線センサから送信される測定データのデータ形式が、無線センサベンダによって変更された場合、その都度エンジニアが変更された無線センサ用のデータ処理機能を変更しなければならない。このため、エンジニアにとって非常に煩雑な作業となる。
【０００８】
そこで、本発明は、プラントの設備に設置される複数の無線センサであって、測定データがデータ形式の異なるものであっても、個々の無線センサに対してデータ処理機能を用意することなく、データ収集することができる情報収集装置の提供を目的とする。
【課題を解決するための手段】
【０００９】
このような課題を解決するために、本発明のうち請求項１に記載の発明は、
複数のセンサから前記センサの識別情報及び測定情報を含むセンサ情報を収集する情報収集装置において、
前記測定情報を格納する記憶部と、
前記センサ情報を受信すると、前記センサの識別情報と対応したデータ形式の異なる複数のセンサ情報を処理するための定義情報のうち、受信した前記センサの識別情報に対応したセンサデータ形式情報及び前記記憶部における格納する場所を示す格納先情報を取得する定義情報取得部と、
前記センサデータ形式情報により前記センサ情報から前記測定情報を取得し、この測定情報を前記格納先情報により前記記憶部の指定された格納先に格納する制御部と、
を備えることを特徴とする。
【００１０】
請求項２記載の発明は、請求項１に記載の情報収集装置において、
前記定義情報は、前記格納先情報、前記センサデータ形式情報、１の処理により前記測定情報を処理する旨の処理情報、２以上の処理により前記測定情報を段階的に処理する旨の処理情報のうち少なくともいずれかと、前記センサの識別情報とが対応付けられていることを特徴とする。
【００１１】
請求項３記載の発明は、請求項１または請求項２に記載の情報収集装置において、
前記１の処理が前記測定情報を表示する旨の処理として定義されている場合、前記定義情報に基づき表示する測定情報を前記記憶部から抽出する抽出部を備えることを特徴とする。
【００１２】
請求項４記載の発明は、請求項３に記載の情報収集装置において、
前記抽出部が抽出した前記測定情報を表示するための図を生成し、表示部にこの図を表示させる表示制御部を備え、
前記表示制御部は、前記測定情報のグラフを生成し、前記表示部に前記グラフを表示することを特徴とする。
【００１３】
請求項５記載の発明は、請求項４に記載の情報収集装置において、
前記情報収集装置は、クラウドコンピューティングによって構成されることを特徴とする。
【００１４】
このような課題を解決するために、本発明のうち請求項６に記載の発明は、
複数のセンサから前記センサの識別情報及び測定情報を含むセンサ情報を収集する情報収集方法において、
前記センサ情報を受信すると、前記センサの識別情報と対応したデータ形式の異なる複数のセンサ情報を処理するための定義情報のうち、受信した前記センサの識別情報に対応したセンサデータ形式情報及び前記記憶部における格納する場所を示す格納先情報を取得するステップと、
前記センサデータ形式情報により前記センサ情報から前記測定情報を取得し、この測定情報を前記格納先情報により前記記憶部の指定された格納先に格納するステップと、
を備えることを特徴とする。
【００１５】
このような課題を解決するために、本発明のうち請求項７に記載の発明は、
複数のセンサから前記センサの識別情報及び測定情報を含むセンサ情報を受信する処理と、
前記センサの識別情報と対応したデータ形式の異なる複数のセンサ情報を処理するための定義情報のうち、受信した前記センサの識別情報に対応したセンサデータ形式情報及び前記記憶部における格納する場所を示す格納先情報を取得する処理と、
前記センサデータ形式情報により前記センサ情報から前記測定情報を取得し、この測定情報を前記格納先情報により前記記憶部の指定された格納先に格納する処理と、
をコンピュータで実行するための情報収集プログラム。
【００１６】
このような課題を解決するために、本発明のうち請求項８に記載の発明は、
複数のセンサから前記センサの識別情報及び測定情報を含むセンサ情報を受信する処理と、
前記センサの識別情報と対応したデータ形式の異なる複数のセンサ情報を処理するための定義情報のうち、受信した前記センサの識別情報に対応したセンサデータ形式情報及び前記記憶部における格納する場所を示す格納先情報を取得する処理と、
前記センサデータ形式情報により前記センサ情報から前記測定情報を取得し、この測定情報を前記格納先情報により前記記憶部の指定された格納先に格納する処理と、
をコンピュータで実行するための情報収集プログラムが記憶された記憶媒体。
【発明の効果】
【００１７】
測定情報を格納する記憶部と、センサ情報を受信すると、センサの識別情報と対応したデータ形式の異なる複数のセンサ情報を処理するための定義情報のうち、受信したセンサの識別情報に対応したセンサデータ形式情報及び記憶部における格納する場所を示す格納先情報を取得する定義情報取得部と、センサデータ形式情報によりセンサ情報から測定情報を取得し、この測定情報を格納先情報により記憶部の指定された格納先に格納する制御部と、を備えることで、設置する無線センサが増えても、サーバへデータ処理機能を追加することなく、測定データの収集、表示、解析などを実施することができる。
【図面の簡単な説明】
【００１８】
【図１】一般的なプロセス制御システムの構成例を示す構成図である。
【図２】本発明の操作監視装置の構成例を示す構成図である。
【図３】本発明の演算制御装置の構成例を示す構成図である。
【図４】本発明の実施例である定義情報の一例を示す図である。
【図５】本発明の演算制御装置における測定データを収集する一例を示すフローチャートである。
【図６】本発明の演算制御装置における測定データを表示する一例の動作を示すフローチャートである。
【発明を実施するための最良の形態】
【００１９】
＜プロセス制御システムの概要＞
以下、図面をもとに本発明に係る、プラントの設備に設置された計測装置（以下、無線センサとする）から測定データを収集する情報収集システム１に関する詳細な説明を行う。図１はプラント設備に設置された無線センサ３１−３６と、ゲートウェイ２１−２３、及び、無線センサ３１−３６から受信した測定データを収集する情報収集装置１０から構成される情報収集システム１の概要であり、図２は本発明である情報収集装置１０の構成例を示す。
【００２０】
図１において、プラントにおける情報収集システム１は、プラントに設置される設備（例えば、ポンプ、バルブ、タンク、タービン等）に無線センサ３１−３６を設置し、ゲートウェイ２１−２３を介して情報収集装置１０へ無線センサ３１−３６の測定データを送信する構成である。本発明の無線センサ３１−３６は、例えば、プラントの健全性評価、プラントにおける設備保全のために、設備の温度、加速度、速度等を測定する。無線センサ３１−３６は、無線センサ３１−３６自身の識別情報、温度等の測定データ、無線センサ３１−３６が測定した時刻データ等（以下、センサデータと呼ぶ）を、プラントに設置されるゲートウェイ２１−２３を介して情報収集装置１０へ送信する。
上記の情報収集システム１は、無線センサ３１−３６から受信したセンサデータを用いて、測定データの格納、表示、解析などを実行する。
なお、無線センサ３１−３６は、予め定められた周期（例えば、１秒間に１回、１分間に１回、１日に一回など）に基づき、設備の温度、加速度、速度などを測定してもよい。また、無線センサ３１−３６の測定周期は、データ量、使用用途等に応じて変更してもよい。
また、それぞれ情報収集装置１０とゲートウェイ２１−２３との無線通信、ゲートウェイ２１−２２と無線センサ３１−３６との無線通信は、双方向または一方向であってもよい。
【００２１】
図２において、情報収集システム１における、無線センサ３１−３６からセンサ情報を受信し、受信したセンサデータを用いて、測定データの格納、表示、解析などを実行する情報収集装置１０の構成例を示す。本発明の情報収集装置１０は、演算制御装置１１、送受信部１２、記憶部１３、表示部１４、入力部１５、から構成される。
【００２２】
演算制御装置１１は、後述するように無線センサ３１−３６から受信したセンサデータを記憶部１３へ格納する。
【００２３】
送受信部１２は、ゲートウェイ２１−２３と通信し、無線センサ３１−３６から設備の温度、加速度、速度などの測定データを受信する。
なお、送受信部１２は、例えば、ネットワークインタフェースやＵＳＢの接続口等といった、ネットワークケーブル、無線接続、入力部１５等と接続される。
【００２４】
記憶部１３は、後述する無線センサ３１−３６から収集した測定データを定義情報Ｄに基づき、指定された格納先へ格納する。なお、記憶部１３は、ローカルネットワーク上に存在しても、インターネットを介したネットワーク上に存在してもよい。
【００２５】
表示部１４は、後述する無線センサ３１−３６から収集した測定データを表示する。
【００２６】
入力部１５は、後述する定義情報Ｄを入力する。なお、入力部１５は、例えば、キーボード、マウス、画面パネル等といった入力装置が挙げられる。
【００２７】
＜本発明である演算制御装置１１における構成情報収集機能の構成例＞
図３において、図２の演算制御装置１１における構成情報収集機能の構成例を示す。本発明の演算制御装置１１は、定義情報記憶部１１２、定義情報取得部１１１、制御部１１３、特定情報抽出部１１４、表示制御部１１５から構成される。
【００２８】
定義情報記憶部１１２は、後述する定義情報Ｄが格納されている。定義情報記憶部１１２は、後述する定義情報取得部１１１から、受信したセンサデータに関連した定義情報Ｄを取得する旨の指示を受信すると、関連した定義情報Ｄを定義情報取得部１１１へ送信する。
【００２９】
定義情報取得部１１１は、ゲートウェイ２１−２２を介してセンサデータを受信すると、定義情報記憶部１１２から定義情報Ｄを取得する。
【００３０】
ここで、図４に定義情報記憶部１１２に格納される定義情報Ｄの一例を示す。定義情報Ｄは、機器識別情報と、格納先情報、データ形式情報（以下データ形式という）、独自処理情報（以下独自処理という）、データ量情報（以下データ量という）などとを、例えば表形式などで対応させた情報形式をとる。ここで、独自処理とは、測定データを記憶部へ格納する処理以外に測定データに対して行う処理を指す。例えば、後述するが、測定データを表示部へ表示する処理、測定データを計算する処理などが含まれる。
なお、定義情報Ｄは上述した情報だけでなく、センサデータに関連した情報を含んでいてもよい。
また、定義情報Ｄは、入力部１５より定義情報の追加、修正、削除などできるように構成されてもよい。
【００３１】
機器識別情報は、プラント設備に設置される複数の無線センサ３１−３４を識別するために用いられる。機器識別情報は、各無線センサ３１−３４に対してナンバリングされるものでも、ローマ字で表現されるものであってもよい。定義情報に格納される機器識別情報は、無線センサ３１−３４から受信するセンサデータに含まれる識別情報と関連けられている。これにより、受信したセンサデータがどの無線センサ３１−３４から受信したデータか識別することができる。
【００３２】
格納先情報は、記憶部１３に格納する場所を示す。言い換えると、テーブル名には、無線センサ３１−３４から受信した測定データを、記憶部１３のどの場所に格納するか予め定義されている。
データ形式は、各無線センサ３１−３４から受信するセンサデータのデータ形式が定義されている。無線センサ３１−３４のベンダによって、データ形式が異なる場合がある。そのため、各無線センサ３１−３４に応じてデータ形式を識別することができる。
独自処理は、測定データを記憶部へ格納する処理以外に測定データに対して行う処理を定義している。また、独自処理は、予め定められた順序に応じた処理を（以下、「段階的処理」または「段階的な処理」という）行う必要がある場合、具体的な処理が記載されている。図４では、独自処理は段階的処理をする旨も定義されており、例えば、Ｃｌａｓｓ１でセンサデータのうち測定データの演算処理を行い、Ｃｌａｓｓ２では、Ｃｌａｓｓ１で処理した測定データを表示する処理を行う等が挙げられる。これにより、演算制御装置１１で段階的に測定データを含むセンサデータを処理することができる。
データ量は、各無線センサ３１−３４から受信したセンサデータのデータ量が定義されている。データ量もデータ形式と同様に、無線センサ３１−３４のベンダによって、データ量が異なる場合がある。
本発明では、図４のように、定義情報Ｄでは、機器識別情報と格納先情報、データ形式、独自処理、データ量とが関連付けられている。これにより、演算制御装置１０が各無線センサ３１−３４に対してどのような処理をし、記憶部１３の指定された場所へ格納することができる。
【００３３】
定義情報取得部１１１は、受信したセンサデータの識別情報に基づき、定義情報記憶部１１２に格納される定義情報Ｄを取得する。具体的には、受信したセンサデータの識別情報と定義情報Ｄの機器識別情報とを識別し、関連した定義情報Ｄを取得する。
定義情報取得部１１１は、取得した定義情報Ｄを制御部１１３へ送信する。また、定義情報取得部１１１は、受信したセンサデータを制御部１１３へ送信する。
【００３４】
なお、定義情報取得部１１１が制御部１１３へ定義情報Ｄを送信するタイミングと、センサデータを送信するタイミングは同時であっても、異なるタイミングであってもよい。
また、定義情報取得部１１１は、送受信部１２との通信を双方向であっても一方方向であってもよい。
さらに、定義情報取得部１１１が送受信部１２を介してセンサデータを受信する周期も、予め定められた周期であっても入力部１５を介して変更された周期であってもよい。
【００３５】
制御部１１３は、定義情報取得部１１１から受信した定義情報Ｄ及びセンサデータを受信すると、定義情報Ｄに基づき、予め定められた記憶部１３の格納場所へセンサデータを格納する。
また、制御部１１３は、記憶部１３へ格納する場合、センサデータから測定データ、時間データを抽出して格納してもよい。
なお、定義情報Ｄに計算処理する旨の定義がなされている場合、制御部１１３は、定義情報Ｄに基づき、センサデータ又は抽出された測定データを計算処理して、記憶部１３へ格納してもよい。例えば、測定データによりプラント設備における健全性を算出する場合、測定データを整数倍にする計算処理を行ってもよい。これは、センサデータのデータ量を圧縮し、測定データを小さくする必要があるためである。
【００３６】
制御部１１３は、さらに、定義情報に独自処理、例えば、表示をする旨の処理が定義されている場合、その旨の指示を特定情報抽出部１１４へ送信する。制御部１１３は、表示をする旨の処理する旨の指示とともに、表示をする旨の処理する測定データの機器識別情報を送信してもよい。独自処理する測定データの機器識別情報は、測定データが格納される場所を示す情報であってもよい。
なお、制御部１１３は、特定情報抽出部１１４へ送信する指示を、複数送信してもよい。言い換えると、制御部１１３は、特定情報抽出部１１４へ複数種類の無線センサ３１−３４における測定データを表示する旨の指示を送信してもよい。
【００３７】
特定情報抽出部１１４は、制御部１１３から、例えば表示をする旨の指示を受信すると、記憶部１３から、表示する測定データを抽出する。特定情報抽出部１１４は、記憶部１３から抽出した測定データを表示制御部１１５へ送信する。
なお、特定情報抽出部１１４は、記憶部１３から複数種類の無線センサ３１−３４における測定データを抽出し、表示制御部１１５へ送信してもよい。
【００３８】
表示制御部１１５は、特定情報抽出部１１４から受信した測定データを、表示部１４を介して表示する。記憶部１３から複数種類の無線センサ３１−３４における各種の測定データを抽出し、表示制御部１１５へ送信してもよい。
また、表示制御部１１５は、例えば、グラフ形式で測定データを表示するようにしてもよい。グラフ形式で表示する場合、表示制御部１１５は、入力部１５を介してグラフの軸の設定を入力し、グラフをユーザが見やすいように設定を変更してもよい。
【００３９】
＜センサデータを受信し記憶部へ格納する動作＞
図３において、本発明である情報収集装置１０における演算制御装置１１の構成例について記載した。そこで次項より、具体的な演算制御装置１１及び定義情報Ｄを用いた、無線センサ３１−３４のセンサデータを記憶部１３へ格納する収集方法について説明する。図５において、無線センサ３１−３４から受信したセンサデータを定義情報Ｄに基づき収集するフローチャートを示す。また、図５において、定義情報Ｄに独自処理及び／または段階的処理が定義されているか否か判断する処理も含めて説明する。
【００４０】
ステップＳ５０１において、定義情報取得部１１１は、ゲートウェイ２１−２２及び送受信部１２を介して、無線センサ３１−３４の識別情報を含むセンサデータを受信する（ステップＳ５０１）。
【００４１】
ステップＳ５０２において、定義情報取得部１１１は、定義情報記憶部１１２から定義情報を取得する（ステップＳ５０２）。また、ステップＳ５０２において、定義情報取得部１１１は、受信したセンサデータに含まれる識別情報に基づき、定義情報Ｄに含まれる機器識別情報を識別し、受信したセンサデータと関連する定義情報Ｄを抽出する。また、定義情報取得部１１１は、制御部１１３へ抽出した定義情報Ｄ及びセンサデータを送信する。なお、定義情報取得部１１１が制御部１１３へ定義情報Ｄ及びセンサデータを送信するタイミングは、同時であっても異なるタイミングであってもよい。
【００４２】
ステップＳ５０３において、制御部１１３は、センサデータ及び定義情報Ｄを定義情報取得部１１１から受信する（ステップＳ５０３）。また、ステップＳ５０３において、制御部１１３は、受信した定義情報Ｄに基づき、センサデータを記憶部１３のどの場所（以下、格納場所という。例えば、メモリアドレスなどを示す）へ格納するか識別する。
なお、ステップＳ５０３において、制御部１１３は、定義情報Ｄのデータ形式に基づき、センサデータから、温度、加速度などの測定データを抽出してもよい。
【００４３】
ステップＳ５０４において、制御部１１３は、ステップＳ５０３において識別した格納場所に基づき、センサデータを記憶部１３の予め指定された格納場所へ格納する（ステップＳ５０４）。
なお、ステップＳ５０４において、ステップＳ５０３で制御部１１３が定義情報Ｄのデータ形式に基づき、センサデータから、温度、加速度などの測定データを抽出した場合、抽出した測定データを記憶部１３の予め指定された格納場所へ格納してもよい。
【００４４】
ステップＳ５０５において、制御部１１３は、受信した定義情報Ｄにおいて、センサデータ又は測定データを表示する等の独自処理が定義されているか否か識別する（ステップＳ５０５）。ステップＳ５０５において、制御部１１３が、定義情報Ｄに測定データを表示する等の独自処理が定義されていると判断すると、ステップＳ５０６へ進む。ステップＳ５０５において、制御部１１３が、定義情報Ｄに測定データを表示する等の独自処理が定義されていないと判断すると、ステップＳ５０７へ進む。
【００４５】
ステップＳ５０６において、制御部１１３は、定義情報に測定データを表示する等の中継処理が定義されていると判断すると、特定情報抽出部１１４へ測定データを表示する旨の指示を送信する（ステップＳ５０６）。
【００４６】
ステップＳ５０７において、制御部１１３は、受信した定義情報Ｄにおいて、独自処理にセンサデータ又は測定データに段階的な処理が定義されているか否か識別する（ステップＳ５０７）。ステップＳ５０７において、制御部１１３が、定義情報Ｄにセンサデータ又は測定データに段階的な処理が定義されていると判断すると、ステップＳ５０８へ進む。ステップＳ５０７において、制御部１１３が、定義情報Ｄにセンサデータ又は測定データに段階的な処理が定義されていないと判断すると、動作は終了する。
【００４７】
ステップＳ５０８において、ステップＳ５０７で制御部１１３が、センサデータ又は測定データに段階的な処理が定義されていると判断すると、制御部１１３はセンサデータ又は測定データに対する段階的な処理を定義情報Ｄから抽出する（ステップＳ５０８）。
【００４８】
ステップＳ５０９において、ステップＳ５０８で抽出した段階的な処理を、制御部１１３は実行する。また、ステップＳ５０９において、制御部１１３は、処理がなされたセンサデータ又は測定データを、記憶部１３の指定された格納場所へ格納してもよい。
【００４９】
上述したように、本発明の情報収集装置１０における演算制御装置１０が無線センサ３１−３４から受信したセンサデータを、定義情報Ｄに基づき記憶部１３の指定された格納先へ格納することで、センサデータのデータ形式によらず、記憶部１３へ格納することができる。
なお、ステップＳ５０５並びにステップＳ５０６と、ステップＳ５０７からステップＳ５０９は、順序が入れ替わってもよく、並列処理されてもよい。
【００５０】
＜グラフを表示する動作（独自処理の具体例）＞
【００５１】
図５において、本発明である情報収集装置１０における演算制御装置１１が定義情報Ｄに基づき、無線センサ３１−３４から受信したセンサデータを記憶部１３へ格納する動作例について記載した。また、図５において、定義情報Ｄに独自処理及び／又は段階的処理が含まれているか否か判断する動作例について示した。そこで次項より、定義情報Ｄに独自処理が定義されている場合の具体例について説明する。より詳しくは、独自処理がセンサデータ又は測定データを表示部１４へ表示する場合の具体的な動作例について説明する。図６において、表示部１４へセンサデータ又は測定データを表示するフローチャートを示す。
【００５２】
ステップＳ６０１において、特定情報抽出部１１４は、制御部１１３からセンサデータ又は測定データを表示する旨の独自処理指示を受信する（ステップＳ６０１）。
なお、ステップＳ６０１において、特定情報抽出部１１４は、制御部１１３から表示する旨の指示だけでなく、表示するセンサデータ又は測定データの格納場所に係る情報を受信してもよい。
【００５３】
ステップＳ６０２において、特定情報抽出部１１４は、ステップＳ６０１において受信した、表示する旨の指示及び／又は、表示するセンサデータ又は測定データの格納場所に係る情報に基づき、記憶部１３からセンサデータ又は測定データを抽出する（ステップＳ６０２）。
また、ステップＳ６０２において、特定情報抽出部１１４は、抽出したセンサデータ又は測定データを表示制御部１１５へ送信する。
【００５４】
ステップＳ６０３において、表示制御部１１５は、受信したセンサデータ又は測定データに基づきグラフを生成する（ステップＳ６０３）。
ステップＳ６０３において、生成したセンサデータ又は測定データに基づくグラフを、表示部１４へ送信する。
なお、ステップＳ６０３において、表示制御部１１５は、グラフを生成すると記載したが、グラフだけでなく、表などその他形式のものを生成してもよい。
【００５５】
ステップＳ６０４において、表示部１４は、表示制御部１１５から受信したセンサデータ又は測定データに基づくグラフを表示する（ステップＳ６０４）。
【００５６】
このように、本発明は、本実施例にて説明した情報収集装置１０における演算制御装置１１に定義情報取得部１１１、定義情報記憶部１１２、制御部１１３、特定情報抽出部１１４、表示制御部１１５を構成することで、複数の無線センサ３１−３４から受信する異なる形式のセンサデータであっても、定義情報Ｄに基づき、各無線センサ３１−３４に応じて表示部１４へ表示する処理、または、段階的処理を実行し、記憶部１３の指定された格納場所へ格納することができる。言いかえると、本発明は、複数の無線センサ３１−３４からのセンサデータを集約するデータハブとしての機能を果たすことができる。
【００５７】
なお、本実施形態で説明した装置を構成する機能を実現するためのプログラムを、コンピュータ読み取り可能な記録媒体に記録して、当該記録媒体に記録されたプログラムをコンピュータシステムに読込ませ、実行することにより、本実施形態の上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００５８】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Ｄｙｎａｍｉｃ  Ｒａｎｄｏｍ  Ａｃｃｅｓｓ  Ｍｅｍｏｒｙ））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであっても良い。さらに、前述した機能をコンピュータシステムにすでに記録されているプログラムとの組み合わせで実現するもの、すなわち、差分ファイル（差分プログラム）であっても良い。
【００５９】
以上、本発明の実施形態について図面を参照して詳述してきたが、具体的な構成は上述の実施形態に限られるものではなく、この発明の要旨を逸脱しない範囲の設計等も含まれる。例えば、上述の実施形態において説明した各機能は、任意に組み合わせることができる。
【００６０】
なお、本発明の実施形態は、クラウドサービスを提供するクラウドコンピューティングシステムを構成するサーバや電子機器、装置にも適用可能である。例えば、プラント設備に設置された無線センサから測定データを受信し、クラウドコンピューティングに含まれる記憶部へ測定データを格納するクラウドコンピューティングシステムが挙げられる。
【符号の説明】
【００６１】
１    情報収集システム
１０  情報収集装置
１１    演算制御装置
１１１  定義情報取得部
１１２  定義情報記憶部
１１３  制御部
１１４  特定情報抽出部
１１５  表示制御部
１２    送受信部
１３    記憶部
１４    表示部
１５    入力部
２１−２３  ゲートウェイ
３１−３６  無線センサ
Ｄ    定義情報
【図１】
2019149081.tif 000003
【図２】
2019149081.tif 000004
【図３】
2019149081.tif 000005
【図４】
2019149081.tif 000006
【図５】
2019149081.tif 000007
【図６】
2019149081.tif 000008